(57)【要約】【課題】噛合うギヤ同士の歯当たりが改善された歯車装置を提供する。【解決手段】本発明の一実施形態による歯車装置は、第１歯車と、前記第１歯車と噛合う第２歯車と、前記第２歯車に取り付けられており回転軸の周りで回転する軸部材と、前記回転軸に沿う回転軸方向における前記第２歯車の前記軸部材に対する移動を規制するように前記第２歯車を前記軸部材に固定する固定手段と、を備える。【選択図】図２
2020029958.tif 000002
【特許請求の範囲】
【請求項１】
第１歯車と、
前記第１歯車と噛合う第２歯車と、
前記第２歯車に取り付けられており回転軸の周りで回転する軸部材と、
前記回転軸に沿う回転軸方向における前記第２歯車の前記軸部材に対する移動を規制するように前記第２歯車を前記軸部材に固定する固定手段と、
を備える歯車装置。
【請求項２】
前記固定手段は、前記第２歯車の前記回転軸方向の一方に設けられ前記第２歯車を前記回転軸方向の他方に向かって付勢する弾性部材を有する、
請求項１に記載の歯車装置。
【請求項３】
前記弾性部材は、前記軸部材を支持する軸受と前記第２歯車との間に設けられる、
請求項２に記載の歯車装置。
【請求項４】
前記弾性部材は、前記第２歯車の前記軸部材を支持する軸受とは反対側に設けられる、
請求項２に記載の歯車装置。
【請求項５】
前記固定手段は、前記第２歯車の前記弾性部材とは反対側に前記軸部材に対して前記回転軸方向に移動しないように設けられたストッパを備える、
請求項２から請求項４のいずれか１項に記載の歯車装置。
【請求項６】
前記ストッパの前記回転軸方向における前記軸部材に対する位置は調整可能である、
請求項５に記載の歯車装置。
【請求項７】
前記第２歯車は、前記弾性部材とは反対側の面において前記軸部材によって支持されている、
請求項２から請求項４のいずれか１項に記載の歯車装置。
【請求項８】
前記第２歯車の前記弾性部材とは反対側の面と前記軸部材との間に配置されたカラーを備える、
請求項２から請求項４のいずれか１項に記載の歯車装置。
【請求項９】
前記第１歯車と噛合い前記回転軸方向において前記第２歯車と同じ位置に設けられた第３歯車を備える、
請求項１から請求項８のいずれか１項に記載の歯車装置。
【請求項１０】
駆動源に接続される第１歯車と、
クラウニングが施され前記第１歯車の歯幅方向における中央領域において前記第１歯車と接触する第２歯車と、
クラウニングが施され前記第２歯車が前記第１歯車の歯幅方向における中央領域において前記第１歯車と接触しているときに前記第１歯車の歯幅の中央領域において前記第１歯車と接触する第３歯車と、
を備える歯車装置。
【請求項１１】
クラウニングが施された第１歯車と、
その歯幅方向の中央領域において前記第１歯車と接触する第２歯車と、
その歯幅方向の中央領域において前記第１歯車と接触する第３歯車と、
を備える歯車装置。
【請求項１２】
前記固定手段は、前記第２歯車の前記回転軸方向の一方に設けられ前記回転軸方向に所定の寸法を有するスペーサ、及び、前記第２歯車の前記スペーサとは反対側に設けられ前記第２歯車を前記スペーサに向かって押し付ける固定部材を有する、
請求項１に記載の歯車装置。
【請求項１３】
前記スペーサは、シム又はカラーである、
請求項１２に記載の歯車装置。
【請求項１４】
前記固定部材は、ねじ部材及び前記ねじ部材により前記第２歯車に締結される被締結材を有する、
請求項１２又は１３に記載の歯車装置。
【請求項１５】
前記スペーサは、前記回転軸方向における寸法が異なる複数の候補スペーサの中から選択される、
請求項１２から請求項１４のいずれか１項に記載の歯車装置。
【請求項１６】
前記第１歯車と噛合い前記回転軸方向において前記第２歯車と同じ位置に設けられた第３歯車を備える、
請求項１２から請求項１５のいずれか１項に記載の歯車装置。
【請求項１７】
前記第１歯車及び前記第２歯車の歯がハス歯である、
請求項１から請求項１６のいずれか１項に記載の歯車装置。
【発明の詳細な説明】
【技術分野】
【０００１】
本発明は、歯車装置に関する。
【背景技術】
【０００２】
駆動源からの回転を伝達する様々な歯車装置が知られている。従来の歯車装置の例が特許文献１に開示されている。特許文献１に記載されている従来の歯車装置は、駆動源からの回転を伝達するインプットギヤと、このインプットギヤと噛み合うスパーギヤと、偏心部を有するクランクシャフトと、当該偏心部を介してクランクシャフトに取り付けられた外歯歯車と、当該外歯歯車と噛み合う内歯を有するケースと、当該ケースに対して相対回転可能に設けられたキャリアと、を有する。この歯車装置によれば、駆動源からの回転が減速され、減速された回転がケース又はキャリアから取り出される。引用文献１には、４つのスパーギヤを有する歯車装置が開示されている。
【先行技術文献】
【特許文献】
【０００３】
【特許文献１】特許第５４２５７４２号公報
【発明の概要】
【発明が解決しようとする課題】
【０００４】
従来の歯車装置機においては、ギヤ同士が噛み合う際に衝突音が発生するという問題がある。インプットギヤは高速回転するため、インプットギヤとスパーギヤとが噛み合う際に特に大きな衝突音が発生する。このように、減速前の回転速度で回転するギヤが他のギヤと噛み合うことが大きな衝突音の発生原因と考えられる。近年、作業者と共同作業を行うための産業用ロボットが開発されている。歯車装置が取り付けられた機械の近くで作業者が作業を行う場合には、歯車装置において大きな衝突音が発生しないことが望まれる。
【０００５】
従来の歯車装置では、スパーギヤがクランクシャフトから脱落しないようにするために止め輪が使用されている。止め輪は、クランクシャフトの表面にその周方向に延びるように形成された溝に嵌め込まれる。止め輪は、クランクシャフトの回転軸方向においてスパーギヤの両側に設けられる。このように、スパーギヤは、２つの止め輪によってクランクシャフトに取り付けられるので、クランクシャフトからは脱落しないが回転軸方向においてある程度は動くことができる。したがって、スパーギヤは、インプットギヤに対してがたついてしまう。インプットギヤがスパーギヤに対してがたつくと、インプットギヤとスパーギヤとの歯当たりが悪くなるという問題がある。例えば、スパーギヤがクランクシャフトの回転軸に対して傾くと、スパーギヤの外歯の歯幅方向における端部のみがインプットギヤの外歯と当たるため、衝突音が大きくなってしまう。このように、止め輪によってスパーギヤをクランクシャフトに対して固定する従来の歯車装置では、スパーギヤのがたつきによってスパーギヤとインプットギヤとの噛み合い時の騒音が大きくなってしまう。
【０００６】
歯車装置の静音化のために、インプットギヤやスパーギヤの加工精度を向上させることが試みられている。しかしながら、ギヤの加工精度が向上しても、噛み合うギヤ同士の一方が回転軸に対してがたつくと歯当たりの改善は十分に実現できない。このように、従来の歯車装置においては、静音化のためのさらなる改善が求められている。
【０００７】
本発明の目的は、上記の従来技術の問題点を解消または緩和することである。本発明の具体的な目的の一つは、噛合うギヤ同士の歯当たりが改善された歯車装置を提供することである。
【課題を解決するための手段】
【０００８】
本発明の一実施形態による歯車装置は、第１歯車と、前記第１歯車と噛合う第２歯車と、前記第２歯車に取り付けられており回転軸の周りで回転する軸部材と、前記回転軸に沿う回転軸方向における前記第２歯車の前記軸部材に対する移動を規制するように前記第２歯車を前記軸部材に固定する固定手段と、を備える。
【０００９】
本発明の一実施形態において、前記固定手段は、前記第２歯車の前記回転軸方向の一方に設けられ前記第２歯車を前記回転軸方向の他方に向かって付勢する弾性部材を有する。
【００１０】
本発明の一実施形態において、前記弾性部材は、前記軸部材を支持する軸受と前記第２歯車との間に設けられる。
【００１１】
本発明の一実施形態において、前記弾性部材は、前記第２歯車の前記軸部材を支持する軸受とは反対側に設けられる。
【００１２】
本発明の一実施形態において、前記固定手段は、前記第２歯車の前記弾性部材とは反対側に前記軸部材に対して前記回転軸方向に移動しないように設けられたストッパを備える。
【００１３】
本発明の一実施形態において、前記ストッパの前記回転軸方向における前記軸部材に対する位置は調整可能である。
【００１４】
本発明の一実施形態において、前記第２歯車は、前記弾性部材とは反対側の面において前記軸部材によって支持されている。
【００１５】
本発明の一実施形態による歯車装置は、前記第２歯車の前記弾性部材とは反対側の面と前記軸部材との間に配置されたカラーを備える。
【００１６】
本発明の一実施形態による歯車装置は、駆動源に接続される第１歯車と、クラウニングが施され前記第１歯車の歯幅方向における中央領域において前記第１歯車と接触する第２歯車と、クラウニングが施され前記第２歯車が前記第１歯車の歯幅方向における中央領域において前記第１歯車と接触しているときに前記第１歯車の歯幅の中央領域において前記第１歯車と接触する第３歯車と、を備える。
【００１７】
本発明の一実施形態による歯車装置は、クラウニングが施された第１歯車と、その歯幅方向の中央領域において前記第１歯車と接触する第２歯車と、その歯幅方向の中央領域において前記第１歯車と接触する第３歯車と、を備える。
【００１８】
本発明の一実施形態において、前記固定手段は、前記第２歯車の前記回転軸方向の一方に設けられ前記回転軸方向に所定の寸法を有するスペーサ、及び、前記第２歯車の前記スペーサとは反対側に設けられ前記第２歯車を前記スペーサに向かって押し付ける固定部材を有する。
【００１９】
本発明の一実施形態において、前記スペーサは、シム又はカラーである。
【００２０】
本発明の一実施形態において、前記固定部材は、ねじ部材及び前記ねじ部材により前記第２歯車に締結される被締結材を有する。
【００２１】
本発明の一実施形態において、前記スペーサは、前記回転軸方向における寸法が異なる複数の候補スペーサの中から選択される。
【００２２】
本発明の一実施形態において、前記第１歯車及び前記第２歯車の歯がハス歯である。
【発明の効果】
【００２３】
本発明の一実施形態によれば、噛合うギヤ同士の歯当たりが改善された歯車装置を提供することができる。
【図面の簡単な説明】
【００２４】
【図１】本発明の一実施形態に係る歯車装置の断面を模式的に示す断面図である。
【図２】図１の歯車装置の一部を拡大して示す断面図である。
【図３】図１の歯車装置のインプットギヤとスパーギヤとの噛み合いを示す概略図である。
【図４】本発明の他の実施形態に係る歯車装置の一部を拡大して示す断面図である。
【図５】本発明の他の実施形態に係る歯車装置の一部を拡大して示す断面図である。
【図６】本発明の他の実施形態に係る歯車装置の一部を拡大して示す断面図である。
【発明を実施するための形態】
【００２５】
以下、図面を参照し、本発明の様々な実施形態を説明する。各図面において共通する構成要素に対しては同一の参照符号が付されている。各図面は、説明の便宜上、必ずしも正確な縮尺で記載されているとは限らない点に留意されたい。
【００２６】
図１から図３を参照して、本発明の一実施形態による歯車装置について説明する。図１〜図３には、本発明の一実施形態による歯車装置の例として駆動力伝達装置３が示されている。図１は、駆動力伝達装置３の中心軸Ｘに沿った断面を示す断面図であり、図２は、駆動力伝達装置３の一部を拡大して示す断面図である。図３は、駆動力伝達装置３のインプットギヤとスパーギヤとの噛み合いを模式的に示す図である。
【００２７】
図示のように、駆動力伝達装置３は、駆動源であるモータ４と、減速機５と、を備える。駆動力伝達装置３は、取付筒４００を備えてもよい。取付筒４００は、モータ４を減速機５に取り付けるために用いられ得る。
【００２８】
モータ４は、筐体２１０と、モータシャフト２２０と、を含む。筐体２１０内には、一般的なモータに用いられる様々な部品（たとえば、コイルやステータコア）が配置される。本実施形態の原理は、筐体２１０内の特定の構造によって制約されない。
【００２９】
モータシャフト２２０は、減速機５に向けて延出する。モータシャフト２２０の先端には、インプットギヤ２２１が形成される。インプットギヤ２２１は、第１の歯車の例である。インプットギヤ２２１は、図示の例では減速機５のスパーギヤ８１０と噛み合う。スパーギヤ８１０は、第２の歯車の例である。スパーギヤ８１０は、回転軸Ｙの周りで自転する。この結果、モータ４が生成したトルクは、減速機５へ伝達される。
【００３０】
図１に示すように、減速機５は、外筒５００と、キャリア６００と、第１トロコイド歯車７１０と、第２トロコイド歯車７２０と、３つの駆動機構８００と、２つの主軸受９００（図示しない）と、を備える。図１には、３つの駆動機構８００のうちの１つのみが示されている。第１トロコイド歯車７１０及び第２トロコイド歯車７２０を歯車部と総称することがある。キャリア６００は、外筒５００に対して中心軸Ｘの周りで相対回転する。第１トロコイド歯車７１０は、駆動機構８００によって駆動されることにより、回転軸ＣＸ１の周りで自転しながら中心軸Ｘの周りを公転する。第２トロコイド歯車７２０は、駆動機構８００によって駆動されることにより、回転軸ＣＸ２の周りで自転しながら中心軸Ｘの周りを公転する。減速機５において減速された回転は、キャリア６００又は外筒５００から駆動対象の相手装置に伝達される。
【００３１】
キャリア６００は、第１キャリア体６１０と、第２キャリア体６２０と、を有する。第１キャリア体６１０と第２キャリア体６２０との間にはギャップが設けられている。この第１キャリア体６１０と第２キャリア体６２０との間のギャップに第１トロコイド歯車７１０及び第２トロコイド歯車７２０が配置されている。第１キャリア体６１０は、概ね円盤形状を有する基部６１１と、中心軸Ｘよりも径方向外方においてＸ２方向に突出するボス部６１２と、を有する。第２キャリア体６２０は、概ね円盤形状を有する。ボス部６１２には、ボルト６３０を受け入れるボルト穴が設けられている。第１キャリア体６１０及び第２キャリア体６２０は、ボルト６３０により連結されている。
【００３２】
図１には３つの駆動機構８００のうち１つのみが示されている。図１に示されている駆動機構８００は、スパーギヤ８１０と、クランク軸８２０と、２つのジャーナル軸受８３０と、２つのクランク軸受８４０と、を含む。ジャーナル軸受８３０は、内輪８３０ａと、外輪８３０ｂと、内輪８３０ａと外輪８３０ｂとの間に設けられる転動体８３０ｃと、を有する。スパーギヤ８１０は、モータシャフト２２０のインプットギヤ２２１に噛み合い、モータ４からトルクを受け取る。図示のスパーギヤ８１０は、外歯８１０ｃを有する平歯車である。スパーギヤ８１０として、平歯車以外の種類の歯車が用いられてもよい。図示されている駆動機構８００以外の２つの駆動機構８００のうちの一方は、スパーギヤ８１１を備え、図示されている駆動機構８００以外の２つの駆動機構８００のうちの他方はスパーギヤ８１２を備える。スパーギヤ８１１は、第３歯車の例である。スパーギヤ８１１は、第４歯車の例である。図示されていない駆動機構８００は、スパーギヤ８１１及びスパーギヤ８１２以外は、図示されている駆動機構と同様に構成される。スパーギヤ８１１及びスパーギヤ８１２は、スパーギヤ８１０と同様に構成され得る。本明細書におけるスパーギヤ８１０についての説明はスパーギヤ８１１及びスパーギヤ８１２にも当てはまる。インプットギヤ２２１の歯及びスパーギヤ８１０の外歯８１０ｃはハス歯であってもよい。スパーギヤ８１１及びスパーギヤ８１２の少なくとも一方の外歯はハス歯であってもよい。本実施形態の原理は、スパーギヤ８１０として用いられる歯車の種類によって制約されるものではない。
【００３３】
クランク軸８２０は、第１ジャーナル８２１と、第２ジャーナル８２２と、第１偏心部８２３と、第２偏心部８２４と、小径部８２５と、を含む。第１ジャーナル８２１は、キャリア６００の第１キャリア体６１０の基部６１１によって取り囲まれる。第２ジャーナル８２２は、キャリア６００の第２キャリア体６２０によって取り囲まれる。２つのジャーナル軸受８３０のうち一方は、第１ジャーナル８２１と第１キャリア体６１０との間に配置される。２つのジャーナル軸受８３０のうち他方は、第２ジャーナル８２２と第２キャリア体６２０との間に配置される。小径部８２５は、第２ジャーナル部よりも小径である。小径部８２５は、スパーギヤ８１０の中心を回転軸Ｙ方向に沿って延びる貫通孔に挿入される。小径部８２５は、スパーギヤ８１０とスプライン結合してもよい。このように、クランク軸８２０は、スパーギヤ８１０に取り付けられている。
【００３４】
インプットギヤ２２１から入力された回転は、スパーギヤ８１０において第１減速比で減速され、減速された回転がクランク軸８２０に出力される。この第１減速比は、スパーギヤ８１０の歯数とインプットギヤ２２１の歯数とによって決定される。第１減速比は、後述する内歯ピン５２０と歯車部とによって決定される第２減速比よりも小さくてもよい。
【００３５】
次に、図２を特に参照して駆動機構８００についてさらに説明する。図示のように、スパーギヤ８１０のＹ１側には弾性部材１１が設けられ、スパーギヤ８１０のＹ２側にはストッパ１３が設けられている。スパーギヤ８１０とストッパ１３との間には、カラー１２が設けられている。弾性部材１１は、スパーギヤ８１０をＹ２方向に常時付勢する。ストッパ１３は、スパーギヤ８１０を回転軸Ｙ方向においてＹ２側から支持し、スパーギヤ８１０の回転軸Ｙ方向における移動（Ｙ２方向への移動）を規制する。
【００３６】
弾性部材１１は、例えばスパイラルリングである。弾性部材１１の一端は、ジャーナル軸受８３０の内輪８３０ａに支持され、他端はスパーギヤ８１０のＹ１側の面８１０ａに支持されている。これにより、弾性部材１１は、スパーギヤ８１０を常時Ｙ２方向へ付勢できる。ストッパ１３は、リング状の形状を有する。ストッパ１３は、その内周面に雌ねじを有する。小径部８２５は、その外周面に雄ねじを有する。ストッパ１３は、小径部８２５にねじ込まれることにより、小径部８２５に対して固定されてもよい。ストッパ１３は、回転軸Ｙ方向に移動しないように第２ジャーナル８２２に設けられる。ストッパ１３は、緩み止め機構を有する緩み止めナットであってもよい。ストッパ１３は、例えば、株式会社富士精密から提供されているＦＩＮＥ  Ｕ−ＮＵＴ（商標）であってもよい。
【００３７】
スパーギヤ８１０は、弾性部材１１によりＹ２方向に常時付勢され、ストッパ１３によりＹ２方向へ移動しないように支持される。このようにして、スパーギヤ８１０は、回転軸Ｙ方向に沿う動きが規制された状態でクランク軸８２０に固定される。このように、弾性部材１１及びストッパ１３により、スパーギヤ８１０をクランク軸８２０に固定する固定手段の一つの例が構成される。この固定手段により、スパーギヤ８１０をがたつかせることなくクランク軸８２０に固定することができる。これにより、スパーギヤ８１０のがたつきによるスパーギヤ８１０とインプットギヤ２２１との歯当たりの劣化を抑制することができる。よって、上記の実施形態により、インプットギヤ２２１とスパーギヤ８１０との歯当たりを改善することができ、その結果、インプットギヤ２２１とスパーギヤ８１０とが噛み合う際の衝突音を小さくすることができる。
【００３８】
本発明の一実施形態において、スパーギヤ８１１及びスパーギヤ８１２の少なくとも一方は、スパーギヤ８１０と同様に、回転軸Ｙ方向に沿う動きが規制された状態でクランク軸８２０に固定される。図２に示されているように、本発明の一実施形態において、スパーギヤ８１１及びスパーギヤ８１２の少なくとも一方は、回転軸Ｙ方向においてスパーギヤ８１０と同じ位置に配置される。言い換えると、スパーギヤ８１１及びスパーギヤ８１２の少なくとも一方の回転軸Ｙ方向における位置は、スパーギヤ８１０の回転軸Ｙ方向における位置と同じである。
【００３９】
本発明の一実施形態においては、ストッパ１３の回転軸Ｙ方向の位置は、調整可能である。例えば、ストッパ１３とスパーギヤ８１０との間に適切な寸法のカラー１２を配置することにより、ストッパ１３を回転軸Ｙ方向における所望の位置に固定することができる。カラー１２は、省略されてもよい。この場合、ストッパ１３は、スパーギヤ８１０のＹ２側の面８１０ｂに直接接してもよい。このように、ストッパ１３の位置を調整可能とすることで、回転軸Ｙ方向におけるインプットギヤ２２１の位置に応じた位置にスパーギヤ８１０を固定することができる。これにより、インプットギヤ２２１とスパーギヤ８１０との歯当たりを改善することができる。
【００４０】
本発明の一実施形態において、スパーギヤ８１０の外歯８１０ｃにはクラウニングが施されていてもよい。つまり、スパーギヤ８１０の外歯８１０ｃは、その歯幅方向（回転軸Ｙに沿う方向と一致する。）の中央部が膨らむように形成されていてもよい。スパーギヤ８１０は、インプットギヤ２２１の歯幅方向（中心軸Ｘに沿う方向と一致する。）の中央領域においてインプットギヤ２２１と接触するように配置される。インプットギヤ２２１の歯幅方向の中央領域とは、インプットギヤ２２１の歯の歯幅方向の中心を含むインプットギヤ２２１の歯における一定の領域を意味する。スパーギヤ８１０の外歯８１０ｃにはクラウニングが施されてその中央付近が膨出しているため、インプットギヤ２２１はスパーギヤ８１０の外歯８１０ｃの歯幅方向における中央付近でスパーギヤ８１０と接触しやすくなる。逆に言えば、インプットギヤ２２１は、スパーギヤ８１０の歯幅方向における端に当たりにくくなる。これにより、インプットギヤ２２１とスパーギヤ８１０との歯当たりを改善することができる。本発明の一実施形態においては、スパーギヤ８１１及びスパーギヤ８１２の少なくとも一方にクラウニングが施されていてもよい。スパーギヤ８１１及びスパーギヤ８１２の少なくとも一方は、インプットギヤ２２１の歯幅方向の中央領域においてインプットギヤ２２１と接触するように配置される。これにより、インプットギヤ２２１とスパーギヤ８１１及びスパーギヤ８１２の少なくとも一方との歯当たりを改善することができる。
【００４１】
本発明の一実施形態において、インプットギヤ２２１の歯にはクラウニングが施されていてもよい。つまり、インプットギヤ２２１は、その歯幅方向（中心軸Ｘに沿う方向と一致する。）の中央部が膨らむように形成されていてもよい。スパーギヤ８１０は、その歯幅方向（回転軸Ｙに沿う方向と一致する。）の中央領域においてインプットギヤ２２１と接触するように配置される。スパーギヤ８１０は、インプットギヤ２２１のクラウニングによって膨らんだ凸部と接触してもよい。スパーギヤ８１０の歯幅方向の中央領域とは、スパーギヤ８１０の外歯８１０ｃの歯幅方向の中心Ｃを含む外歯８１０ｃにおける一定の領域を意味する。例えば、中心Ｃから外歯８１０ｃの歯幅Ｗの２０％だけＹ１方向にシフトした位置と当該中心Ｃから外歯８１０ｃの歯幅Ｗの２０％だけＹ２方向にシフトした位置との間の領域がスパーギヤ８１０の中央領域とされてもよい。インプットギヤ２２１の歯にはクラウニングが施されて中央付近が膨出しているため、スパーギヤ８１０はインプットギヤ２２１の歯幅方向における中央付近でインプットギヤ２２１と接触しやすくなる。逆に言えば、スパーギヤ８１０は、インプットギヤ２２１の歯幅方向における端に当たりにくくなる。これにより、インプットギヤ２２１とスパーギヤ８１０との歯当たりを改善することができる。本発明の一実施形態において、スパーギヤ８１１及びスパーギヤ８１２の少なくとも一方は、その歯幅方向の中央領域においてインプットギヤ２２１と接触するように配置されてもよい。スパーギヤ８１１及びスパーギヤ８１２の少なくとも一方は、インプットギヤ２２１のクラウニングによって膨らんだ凸部と接触してもよい。これにより、インプットギヤ２２１とスパーギヤ８１１及びスパーギヤ８１２の少なくとも一方との歯当たりを改善することができる。
【００４２】
次に、図４を参照して本発明の他の実施形態に係る歯車装置について説明する。図４に示されている歯車装置は、スパーギヤ８１０をクランク軸８２０に固定する固定手段の具体的構成が図１に示されている歯車装置と異なっている。より具体的には、図１の歯車装置においては弾性部材１１及びストッパ１３（必要に応じてカラー１２）によってスパーギヤ８１０をクランク軸８２０に固定しているのに対し、図４の歯車装置においては弾性部材１１及びストッパ１３に代えて、スペーサ１４、ボルト１５及び被締結材１６によってスパーギヤ８１０をクランク軸８２０に固定する点で両者は異なっている。
【００４３】
図４に示されてる実施形態において、被締結部材１６は、ボルト１５によってクランク軸８２０に固定される。クランク軸８２０は、Ｙ２側の端面からＹ１方向に向かって延びるボルト穴を有する。ボルト１５は、このボルト穴にねじ込まれる。被締結部材１６は、概ねリング形状の基部１６ａと、この基部１６ａの径方向における縁部からＹ１方向に向かって延びる側壁１６ｂと、を有する。被締結部材１６は、側壁１６ｂのＹ１方向における端部においてスパーギヤ８１０のＹ２側の面８１０ｂに接する。基部１６ａの中心には、ボルト１５を受け入れる貫通孔が形成されている。
【００４４】
図示の実施形態において、スパーギヤ８１０のＹ１側の面８１０とジャーナル軸受８３０の内輪８３０ａとの間には、スペーサ１４が配置されている。つまり、スペーサ１４のＹ１方向の端面はジャーナル軸受８３０の内輪８３０ａによって支持されている。スペーサ１４のＹ１方向の端面はジャーナル軸受８３０の内輪８３０ａ以外の部材により、回転軸Ｙ方向へ移動しないように支持されてもよい。スペーサ１４は、シム又はカラーであってもよい。スペーサ１４は、スパーギヤ８１０に対して被締結部材１６と反対側に設けられている。スペーサ１４は、スパーギヤ８１０をＹ１側から支持することにより、スパーギヤ８１０のＹ１方向への移動を規制する。
【００４５】
図示の実施形態において、スパーギヤ８１０は、ボルト１５及び被締結部材１６により、スペーサ１４に向かって押しつけられている。スペーサ１４は、ジャーナル軸受８３０の内輪８３０ａによって回転軸Ｙ方向に移動しないように支持されているので、スパーギヤ８１０は、内輪８３０ａからスペーサ１４の回転軸Ｙ方向における寸法だけ離間した位置に固定される。回転軸Ｙ方向におけるスパーギヤ８１０の位置は、スペーサ１４の回転軸Ｙ方向の寸法によって調整され得る。例えば、スペーサ１４の回転軸Ｙ方向における寸法を大きくすることにより、回転軸Ｙ方向におけるスパーギヤ８１０の位置をＹ２方向へ移動させることができる。回転軸Ｙ方向における寸法が互いに異なる複数の候補スペーサを準備し、この候補スペーサの中から選択されたものをスペーサ１４として利用してもよい。
【００４６】
図４に示されている固定手段の組み立て方法について説明する。まず、被締結材１６の貫通孔とクランク軸８２０のボルト穴とが整列するように被締結部材１６をスパーギヤ８１０のＹ１側の面８１０ｂに配置する。次に、被締結部材１６の貫通孔にボルト１５を挿入し、このボルト１５をクランク軸８２０のボルト穴にねじ込むことにより、被締結部材１６をスペーサ１４に向かってスパーギヤ８１０に対して押しつけることができる。このように、ボルト１５及び被締結部材１６は、特許請求の範囲における固定部材の一例である。
【００４７】
以上のとおり、図４に示されている固定手段によって、スパーギヤ８１０をがたつかせることなくクランク軸８２０に固定することができる。これにより、インプットギヤ２２１とスパーギヤ８１０との歯当たりを改善することができる。
【００４８】
次に、図５を参照して本発明の他の実施形態に係る歯車装置について説明する。図５に示されている歯車装置は、スパーギヤ８１０をクランク軸８２０に固定する固定手段の具体的構成が図１に示されている歯車装置と異なっている。より具体的には、図１の歯車装置においてはスパーギヤ８１０の弾性部材１１及びストッパ１３（必要に応じてカラー１２）によってスパーギヤ８１０をクランク軸８２０に固定しているのに対し、図５の歯車装置においては弾性部材１１１及びカラー１１０によってスパーギヤ８１０をクランク軸８２０に固定する点で両者は異なっている。
【００４９】
弾性部材１１１は、例えばスパイラルリングである。図５の実施形態においては、小径部８２５の外表面に周方向に延びる溝８２５ａが設けられている。この溝８２５ａは、スパーギヤ８１０のＹ２側の面８１０ｂよりもＹ２側に配置される。弾性部材１１１は、この溝８２５ａ内に配置される。よって、弾性部材１１１は、回転軸Ｙ方向においてスパーギヤ８１０に対してジャーナル軸受８３０とは反対側にも受けられる。弾性部材１１１は、スパーギヤ８１０をＹ１方向に常時付勢する。
【００５０】
カラー１１０は、円筒形状の部材である。カラー１１０は、スパーギヤ８１０のＹ１側の面８１０ａとジャーナル軸受８３０の内輪８３０ａとの間に配置される。カラー１１０は、スパーギヤ８１０をＹ１側から支持することにより、スパーギヤ８１０のＹ１方向への移動を規制する。カラー１１０は、スパーギヤ８１０に対して弾性部材１１１と反対側に設けられている。
【００５１】
図５の実施形態において、スパーギヤ８１０は、弾性部材１１１によりＹ１方向に常時付勢され、カラー１１０によりＹ１方向へ移動しないように支持される。このようにして、スパーギヤ８１０は、回転軸Ｙ方向に沿う動きが規制された状態でクランク軸８２０に固定される。このように、弾性部材１１１及びカラー１１０により、スパーギヤ８１０をクランク軸８２０に固定する固定手段の一つの例が構成される。この固定手段により、スパーギヤ８１０をがたつかせることなくクランク軸８２０に固定することができる。よって、図５に示されている実施形態により、インプットギヤ２２１とスパーギヤ８１０との歯当たりを改善することができる。
【００５２】
次に、図６を参照して本発明の他の実施形態に係る歯車装置について説明する。図６に示されている歯車装置は、スパーギヤ８１０のＹ１側の面８１０ａがカラー１１０ではなくクランク軸８２０の一部により支持されている点で図５に示されている歯車装置と異なっている。図６の実施形態におけるクランク軸８２０は、第２ジャーナル８２２と小径部８２５との間に支持部８２６を有する。支持部８２６は、例えば円柱形状を有する。支持部８２６は、スパーギヤ８１０の貫通孔よりも大きな径を有する。これにより、支持部８２６は、スパーギヤ８１０をＹ１側から支持することにより、スパーギヤ８１０のＹ１方向への移動を規制する。
【００５３】
図５の実施形態において、スパーギヤ８１０は、弾性部材１１１によりＹ１方向に常時付勢され、クランク軸８２０の支持部８２６によりＹ１方向へ移動しないように支持される。このようにして、スパーギヤ８１０は、回転軸Ｙ方向に沿う動きが規制された状態でクランク軸８２０に固定される。このように、弾性部材１１１及びクランク軸８２０の支持部８２６より、スパーギヤ８１０をクランク軸８２０に固定する固定手段の一つの例が構成される。この固定手段により、スパーギヤ８１０をがたつかせることなくクランク軸８２０に固定することができる。よって、図５に示されている実施形態により、インプットギヤ２２１とスパーギヤ８１０との歯当たりを改善することができる。
【００５４】
以上が本発明の例示的な実施形態の説明である。上述の様々な実施形態は、上記に説明したものに限定されず、様々な駆動伝達装置に適用可能である。上述の様々な実施形態のうち１つに関連して説明された様々な特徴のうち一部が、他のもう１つの実施形態に関連して説明された駆動伝達装置に適用されてもよい。
【符号の説明】
【００５５】
３  駆動伝達装置
４  モータ
５  減速機
１１、１１１  弾性部材
１２  カラー
１３  ストッパ
１４  スペーサ
１５  ボルト
１６  被締結部材
２２１  インプットギヤ
８１０〜８１２  スパーギヤ
【図１】
2020029958.tif 000003
【図２】
2020029958.tif 000004
【図３】
2020029958.tif 000005
【図４】
2020029958.tif 000006
【図５】
2020029958.tif 000007
【図６】
2020029958.tif 000008